(57)【要約】【課題】アプリやＰＣサイト内、またリアル店舗の店頭などにおける商品・サービス・コンテンツの購入に利用可能な電子マネー等の残高をチャージすることを可能にしたプリペイド型の決済システム、決済方法、及びプログラムを提供する。【解決手段】本発明の一実施形態において、利用者の残高をチャージするためのプリペイド決済システムは、利用者によって選択された決済方法に従って、利用者からの残高チャージ要求を識別する取引ＩＤ及び金額情報を含むバーコードを生成するバーコード生成手段と、生成されたバーコードを携帯端末に送信するバーコード送信手段と、バーコードが決済された後、バーコードに含まれた金額情報に応じて、バーコードに含まれた取引ＩＤに従って識別された利用者の残高をチャージする残高チャージ手段とを備えたことを特徴とする。【選択図】図３
2017097656.tif 000002
【特許請求の範囲】
【請求項１】
利用者の残高をチャージするためのプリペイド決済システムであって、
前記利用者によって選択された決済方法に従って、前記利用者からの残高チャージ要求を識別する取引ＩＤ及び金額情報を含むバーコードを生成するバーコード生成手段と、
前記生成されたバーコードを携帯端末に送信するバーコード送信手段と、
前記バーコードが決済された後、前記バーコードに含まれた前記金額情報に応じて、前記バーコードに含まれた前記取引ＩＤに従って識別された前記利用者の前記残高をチャージする第１の残高チャージ手段と
を備えたことを特徴とするプリペイド決済システム。
【請求項２】
前記選択された決済方法は、コンビニエンスストアにおける現金入金であることを特徴とする請求項１に記載のプリペイド決済システム。
【請求項３】
前記利用者によって選択された決済方法に従って、被振込専用口座を割り当てる口座割当手段と、
前記割り当てられた被振込専用口座の口座番号を、前記携帯端末に送信する口座番号送信手段と、
前記被振込専用口座への被振込金額を受信する被振込金額受信手段と、
前記被振込金額に基づいて、前記残高をチャージする第２の残高チャージ手段と
をさらに備えたことを特徴とする請求項１または２に記載のプリペイド決済システム。
【請求項４】
コンピュータを、請求項１乃至３のいずれか１項に記載のプリペイド決済システムとして動作させるためのプログラム。
【請求項５】
利用者の残高をチャージするためのプリペイド決済システムが実行するプリペイド決済方法であって、
前記利用者によって選択された決済方法に従って、前記利用者からの残高チャージ要求を識別する取引ＩＤ及び金額情報を含むバーコードを生成することと、
前記生成されたバーコードを携帯端末に送信することと、
前記バーコードが決済された後、前記バーコードに含まれた前記金額情報に応じて、前記バーコードに含まれた取引ＩＤに従って識別された前記利用者の前記残高をチャージすることと
を含むことを特徴とするプリペイド決済方法。
【請求項６】
前記選択された決済方法は、コンビニエンスストアにおける現金入金であることを特徴とする請求項５に記載のプリペイド決済方法。
【請求項７】
前記利用者によって選択された決済方法に従って、被振込専用口座を割り当てることと、
前記割り当てられた被振込専用口座の口座番号を、前記携帯端末に送信する口座番号送信することと、
前記被振込専用口座への被振込金額を受信することと、
前記被振込金額に基づいて、前記残高をチャージすることと
をさらに含むことを特徴とする請求項５または６に記載のプリペイド決済方法。
【請求項８】
コンテンツを提供するコンテンツ会社システムと、少なくとも前記コンテンツの購入に利用可能な残高をチャージするための決済サービスを提供するサービス会社システムとを含むプリペイド決済システムであって、
前記コンテンツ会社システムが、利用者によって選択された決済方法に従って、前記利用者からの残高チャージ要求を識別する取引ＩＤ及び金額情報を含むバーコード発行依頼を前記サービス会社システムに送信する手段と、
前記サービス会社システムが、受信した前記バーコード発行依頼に応じて、前記取引ＩＤ及び前記金額情報を含むバーコードを生成し、前記コンテンツ会社システムに送信する手段と、
前記コンテンツ会社システムが、受信した前記バーコードを携帯端末に送信する手段と、
前記バーコードが決済された後、前記サービス会社システムが、前記バーコードに含まれる前記取引ＩＤ及び前記金額情報を受信し、前記コンテンツ会社システムに送信する手段と、
前記コンテンツ会社システムが、前記取引ＩＤ及び前記金額情報を受信して、前記金額情報に応じて、前記取引ＩＤに従って識別された前記利用者の前記残高をチャージする手段と
を備えたことを特徴とするプリペイド決済システム。
【請求項９】
前記コンテンツ会社システムが、前記利用者によって選択された決済方法にしたがって、口座番号発行要求を前記サービス会社システムに送信する手段と、
前記サービス会社システムが、受信した前記口座番号発行要求に応じて、被振込専用口座を割り当て、前記割り当てられた被振込専用口座の口座番号を、前記コンテンツ会社システムに送信する手段と、
前記コンテンツ会社システムが、受信した前記口座番号を前記携帯端末に送信する手段と、
前記サービス会社システムが、前記被振込専用口座への入金通知を受信する手段と、
前記サービス会社システムが、前記入金通知に基づいて、前記被振込専用口座への被振込金額を前記コンテンツ会社システムに送信する手段と、
前記コンテンツ会社システムが、前記被振込金額を受信して、前記残高にチャージする手段と
をさらに備えたことを特徴とする請求項８に記載のプリペイド決済システム。
【請求項１０】
コンテンツを提供するコンテンツ会社システムと、少なくとも前記コンテンツの購入に利用可能な残高をチャージするための決済サービスを提供するサービス会社システムとを含むプリペイド決済システムにおけるプリペイド決済方法であって、
前記コンテンツ会社システムが、利用者によって選択された決済方法に従って、前記利用者からの残高チャージ要求を識別する取引ＩＤ及び金額情報を含むバーコード発行依頼を前記サービス会社システムに送信することと、
前記サービス会社システムが、受信した前記バーコード発行依頼に応じて、前記取引ＩＤ及び前記金額情報を含むバーコードを生成し、前記コンテンツ会社システムに送信することと、
前記コンテンツ会社システムが、受信した前記バーコードを携帯端末に送信することと、
前記バーコードが決済された後、前記サービス会社システムが、前記バーコードに含まれる前記取引ＩＤ及び前記金額情報を受信し、前記コンテンツ会社システムに送信することと、
前記コンテンツ会社システムが、前記取引ＩＤ及び前記金額情報を受信して、前記金額情報に応じて、前記取引ＩＤに従って識別された前記利用者の前記残高をチャージすることと
を含むプリペイド決済方法。
【請求項１１】
前記コンテンツ会社システムが、前記利用者によって選択された決済方法にしたがって、口座番号発行要求を前記サービス会社システムに送信することと、
前記サービス会社システムが、受信した前記口座番号発行要求に応じて、被振込専用口座を割り当て、前記割り当てられた被振込専用口座の口座番号を、前記コンテンツ会社システムに送信することと、
前記コンテンツ会社システムが、受信した前記口座番号を前記携帯端末に送信することと、
前記サービス会社システムが、前記被振込専用口座への入金通知を受信することと、
前記サービス会社システムが、前記入金通知に基づいて、前記被振込専用口座への被振込金額を前記コンテンツ会社システムに送信することと、
前記コンテンツ会社システムが、前記被振込金額を受信して、前記残高にチャージすることと
をさらに含むことを特徴とする請求項１０に記載のプリペイド決済方法。
【発明の詳細な説明】
【技術分野】
【０００１】
本発明は、一般に、プリペイド型の決済システム、決済方法、及びプログラムに関し、より詳細には、携帯端末に実装されたアプリケーション（以下、アプリと呼ぶ）やＰＣサイト内、またリアル店舗の店頭などにおける商品・サービス・コンテンツの購入に利用可能な電子マネーやポイント(以下、「電子マネー等)と呼ぶ)の残高をチャージするためのプリペイド型の決済システム、決済方法、及びプログラムに関する。
【背景技術】
【０００２】
従来、スマートフォンやタブレット端末などの携帯端末に実装されたアプリやＰＣサイト内などにおいて、電子書籍、音楽、ゲーム、ゲームにおいて使用されるカードや武器、課金対象となる追加機能などのコンテンツを購入することが行なわれている。アプリやＰＣサイト内などでコンテンツを購入するためには、当該アプリやＰＣサイト内などで使用可能な電子マネー等の残高を有している必要があり、コンテンツの価格に対して残高が不足している場合には、少なくとも不足分を充当するために、電子マネー等を購入する必要がある。電子マネー等を購入する手段の一つとして、プリペイドカードを利用する方法がある。プリペイドカードは、コンビニエンスストア（以下、コンビニと呼ぶ）等の店舗において、ＰＯＳ機能を備えたレジスタ（以下、ＰＯＳレジと呼ぶ）により、プリペイドカードに記載されたバーコードを読み取り、利用者が代金を支払うことで、プリペイドカードに記載されたマネー番号が有効化され、利用可能となる。利用者は、有効化されたプリペイドカードのマネー番号をアプリやＰＣサイトなどに入力することで、電子マネー等の残高をチャージすることができる。
【０００３】
図６は、そのようなプリペイドカードを利用した従来の決済方法の概要を示す図である。
【０００４】
従来の方法によると、まず、アプリやＰＣサイトなどのコンテンツを提供するコンテンツ会社６０１は、プリペイドカードの作成をカード作成会社６０２に依頼する。そして、カード会社６０２によって作成されたプリペイドカードは、配送業者によってコンビニの各店舗６０３へ配送される。カードを受け取ったコンビニの店舗６０３では、それを陳列し、販売する。店舗６０３では、プリペイドカードに記載されたバーコードをＰＯＳレジにて読み込み、代金を受け取ることで決済を行なう。また、店舗６０３では、多様な種類の電子マネーについて、各種プリペイドカードが販売されている。
【０００５】
次に、利用者６０４は、電子マネー等の購入が必要になると、コンビニの店舗６０３へ出向き、陳列された多くのプリペイドカードの中から所望のプリペイドカードを選択し、レジにて代金を支払うことで、そのプリペイドカードを有効化する。次いで、利用者６０４は、プリペイドカードに記載されたマネー番号を携帯端末上のアプリやＰＣサイトなどに入力して、登録することにより、電子マネー等の残高をチャージする。そうすることで、利用者６０４は、チャージされた残高を利用して、アプリやＰＣサイト内などにおいて所望のコンテンツを購入することができる。
【発明の概要】
【発明が解決しようとする課題】
【０００６】
しかしながら、従来の方法では、プリペイドカードを実際に作成し、それを店舗に配送する必要があった。また、店舗では、配送されたプリペイドカードを陳列する必要があり、陳列するための場所も必要であった。また、プリペイドカードを作成してから販売するまでの間に、プリペイドカードを紛失してしまう可能性もあった。
【０００７】
さらに、利用者は、プリペイドカードが必要になると、店舗に出向き、店舗内に陳列された多種多様なプリペイドカードの中から所望のプリペイドカードを探し出す必要があるが、「品切れ」や「人気薄」等の理由により店舗に陳列されておらず、購入できない場合もあった。これは、店舗では、一定の需要があるプリペイドカードが主に陳列され、需要の比較的少ないプリペイドカードはあまり陳列されないということを一因とする。また、所望のプリペイドカードを探し出し、代金を支払ってプリペイドカードを有効化した後も、当該プリペイドカードのマネー番号をアプリやＰＣサイトなどに入力して、登録する必要があった。また、利用者も、購入したプリペイドカードを紛失してしまう可能性があった。
【０００８】
本発明は、このような問題に鑑みてなされたものであり、その目的とするところは、カード等の媒体を使用せずに、アプリやＰＣサイト内などで利用可能な電子マネー等の残高をチャージすることを可能にしたプリペイド型の決済システム、決済方法、及びプログラムを提供することにある。
【課題を解決するための手段】
【０００９】
上述したような課題を解決すべく、本発明の一実施形態に係る発明は、利用者の残高をチャージするためのプリペイド決済システムであって、前記利用者によって選択された決済方法に従って、前記利用者からの残高チャージ要求を識別する取引ＩＤ及び金額情報を含むバーコードを生成するバーコード生成手段と、前記生成されたバーコードを携帯端末に送信するバーコード送信手段と、前記バーコードが決済された後、前記バーコードに含まれた前記金額情報に応じて、前記バーコードに含まれた前記取引ＩＤに従って識別された前記利用者の前記残高をチャージする第１の残高チャージ手段とを備えたことを特徴とする。
【００１０】
また、本発明の一実施形態に係るプリペイド決済システムは、前記利用者によって選択された決済方法に従って、被振込専用口座を割り当てる口座割当手段と、前記割り当てられた被振込専用口座の口座番号を、前記携帯端末に送信する口座番号送信手段と、前記被振込専用口座への被振込金額を受信する被振込金額受信手段と、前記被振込金額に基づいて、前記残高をチャージする第２の残高チャージ手段とをさらに備えてもよい。
【００１１】
また、本発明の一実施形態に係る発明は、利用者の残高をチャージするためのプリペイド決済システムが実行するプリペイド決済方法であって、前記利用者によって選択された決済方法に従って、前記利用者からの残高チャージ要求を識別する取引ＩＤ及び金額情報を含むバーコードを生成することと、前記生成されたバーコードを携帯端末に送信することと、前記バーコードが決済された後、前記バーコードに含まれた前記金額情報に応じて、前記バーコードに含まれた取引ＩＤに従って識別された前記利用者の前記残高をチャージすることとを含むことを特徴とする。
【００１２】
また、本発明の一実施形態に係るプリペイド決済方法は、前記利用者によって選択された決済方法に従って、被振込専用口座を割り当てることと、前記割り当てられた被振込専用口座の口座番号を、前記携帯端末に送信する口座番号送信することと、前記被振込専用口座への被振込金額を受信することと、前記被振込金額に基づいて、前記残高をチャージすることとをさらに含んでもよい。
【発明の効果】
【００１３】
本発明によれば、プリペイドカード等の媒体を使用せずに、アプリやＰＣサイト内などで利用可能な電子マネー等の残高をチャージすることを可能にしたプリペイド型の決済システム、決済方法、及びプログラムを提供することが可能となる。また、本発明によると、需要の少ない種類のプリペイドカードに対応した残高チャージ方法を提供することが可能となる。さらに、本発明によると、利用者は、プリペイドカードに記載されたマネー番号をアプリやＰＣサイト内などで入力することなく、電子マネー等の残高をチャージすることができる。また、電子マネー等の残高は、リアル店舗の店頭などにおける商品・サービスの購入に利用することもできる。
【図面の簡単な説明】
【００１４】
【図１】本発明の一実施形態に係るプリペイド決済方法の概要を示す図である。
【図２】本発明の一実施形態に係る別のプリペイド決済方法の概要を示す図である。
【図３】本発明の一実施形態に係るプリペイド決済システムの構成を示す図である。
【図４】本発明の一実施形態に係るプリペイド決済方法の詳細なフロー図である。
【図５】本発明の一実施形態に係る別のプリペイド決済方法の詳細なフロー図である。
【図６】従来の決済方法の概要を示す図である。
【発明を実施するための形態】
【００１５】
以下に、図面を参照しながら、本発明の実施形態について詳細に説明する。なお、複数の図面において同一の符号は同一物を表し、その繰り返しの説明は省略する。
【００１６】
（第１の実施形態）
図１は、本発明の一実施形態に係るプリペイド決済方法の概要を示す図である。
【００１７】
本発明の一実施形態に係るプリペイド決済方法によると、携帯端末上に実装されたアプリやＰＣサイトなどにおいて電子マネー等の残高をチャージする場合、まず、利用者１０１は携帯端末を介して、当該アプリやＰＣサイトなどのコンテンツを提供するコンテンツ会社１０２に、残高チャージ要求を送信する（１）。残高チャージ要求には、利用者１０１が指定したプリペイド決済方法（ここでは、コンビニにおける現金入金、以下、コンビニ現金入金と呼ぶ）、及び金額情報が含まれる。次いで、残高チャージ要求を受信したコンテンツ会社１０２は、指定されたプリペイド決済方法に従って、バーコード作成要求を、プリペイド型決済サービスを提供するサービス会社１０３に送信する（２）。バーコード作成要求を受信したサービス会社１０３は、バーコードを作成して記憶し、コンテンツ会社１０２に提供する（３）。コンテンツ会社１０２は、提供されたバーコードを、利用者１０１の携帯端末へ送信する（４）。携帯端末は、受信したバーコードを表示することができる。利用者１０１は、バーコードの受信を確認すると、ＰＯＳレジを備えたコンビニ等の店舗１０４に出向く。店舗１０４では、携帯端末に表示されたバーコードをＰＯＳレジによって読み取り、利用者１０１から代金を受け取ることで、決済を行なう（５）。決済処理が行われた後、店舗１０４のＰＯＳレジからサービス会社１０３へ入金情報が通知される（６）。サービス会社１０３は入金通知を受信すると、コンテンツ会社１０２へバーコード情報とともに入金情報を通知する（７）。コンテンツ会社１０２は、受信したバーコード情報及び入金情報に基づいて、利用者１０１の残高をチャージする。バーコードは、利用者１０１による残高チャージ要求と関連付けられているため、利用者１０１はマネー番号を入力することなく、自動的に利用者１０１の残高をチャージすることができる。
【００１８】
このように、本発明の一実施形態に係るプリペイド決済方法によると、従来の決済方法と比較して、プリペイドカード等の媒体を使用せずに、アプリやＰＣサイト内などで利用可能な電子マネー等の残高をチャージすることができる。本プリペイド決済方法は、スマートフォンやタブレット端末などの携帯端末上にプリペイドカードを電子的に実装したものと考えることができる。また、チャージした電子マネー等の残高は、コンテンツ会社１０２が提供するコンテンツの購入に限らず、リアル店舗の店頭などにおける商品・サービスの購入に利用することもできる。
【００１９】
（第２の実施形態）
次に、本発明の一実施形態に係る別のプリペイド決済方法の概要を説明する。本実施形態では、バーコードを利用した決済の代わりに、被振込専用口座の口座番号を発行して、利用者が当該被振込専用口座に対して振込入金を行なうことにより、残高のチャージを行なう。本方法は、バーコードを利用した上記実施形態とともに実装することができ、利用者１０１が携帯端末上で決済方法を選択することにより使い分けることができる。
【００２０】
図２は、本発明の一実施形態に係る別のプリペイド決済方法の概要を示す図である。本プリペイド決済方法は、図１を参照して上述したプリペイド決済方法に加えて、利用者が選択可能な決済方法の１つであり、利用者に対して多様な決済方法を提供するものである。本プリペイド決済方法は、アプリやＰＣサイト内などで利用可能な電子マネー等の残高をチャージするために、銀行口座への振込入金を利用する。また、プリペイドカードでは一般的に購入金額が指定されているが、本プリペイド決済方法によると、チャージする金額を利用者が自由に（銀行による制限のもとではあるが）指定して入金することができる。
【００２１】
本発明の一実施形態に係る別のプリペイド決済方法によると、まず、利用者１０１は携帯端末を介して、コンテンツ会社１０２に残高チャージ要求を送信する（１）。残高チャージ要求には、利用者１０１が指定したプリペイド決済方法が含まれる。次いで、残高チャージ要求を受信したコンテンツ会社１０２は、指定されたプリペイド決済方法に従って、口座番号発行要求をサービス会社１０３に送信する（２）。口座番号発行要求を受信したサービス会社１０３は、被振込専用口座の口座番号を割り当て、コンテンツ会社１０２に提供する（３）。コンテンツ会社１０２は、提供された口座番号を、利用者１０１の携帯端末へ送信する（４）。携帯端末は、受信した口座番号を表示することができる。利用者１０１は、口座番号を確認すると、当該口座番号宛に振込入金を行なう（５）。振込は、銀行システム２０１のインターネットバンキング２０２を利用することで行なうことができる。もちろん、振込は、ＡＴＭ端末や銀行の店舗にて行なってもよい。指定された口座番号の口座への振込処理が行なわれると、銀行システム２０１からサービス会社１０３へ入金情報が通知される（６）。サービス会社１０３は入金通知を受信すると、コンテンツ会社１０２へ入金された金額情報を通知する（７）。コンテンツ会社１０２は、受信した金額情報に基づいて、残高をチャージする。
【００２２】
このように、本発明の一実施形態に係る別のプリペイド決済方法によると、従来の方法と比較して、プリペイドカード等の媒体を使用せずに、アプリやＰＣサイト内などで利用可能な電子マネー等の残高をチャージすることができる。また、図１を参照して説明したプリペイド決済方法に加えて、利用者に、多様なプリペイド決済方法を提供することを可能にする。また、チャージした電子マネー等の残高は、コンテンツ会社１０２が提供するコンテンツの購入に限らず、リアル店舗の店頭などにおける商品・サービスの購入に利用することもできる。
【００２３】
以下では、上述したプリペイド決済方法の概要について、より詳細に説明する。
【００２４】
図３は、本発明の一実施形態に係るプリペイド決済システム３００の構成を示す図である。以下に、図３を参照して、本発明の一実施形態に係るプリペイド決済システム３００の構成について説明する。
【００２５】
本発明の一実施形態に係るプリペイド決済システム３００は、利用者端末３０１と、コンテンツ会社システム３１１と、サービス会社システム３２１と、ＰＯＳレジ３４１と、銀行システム３５１とを含む。
【００２６】
利用者端末３０１は、スマートフォンやタブレット端末などの携帯端末であり、アプリ３０２やブラウザソフトを実装し、コンテンツ会社３１１とネットワークを介して通信可能に接続される。また、利用者端末３０１は、インターネットを介して銀行システム３５１が提供するインターネットバンキングシステムにアクセスしてログインすることで、残高・入出金明細の照会や、振替・振込などの各種機能を利用することができる。
【００２７】
コンテンツ会社システム３１１は、チャージ要求受信部３１２と、バーコード発行依頼送信部３１３と、口座番号発行依頼送信部３１４と、バーコード受信部３１５と、口座番号受信部３１６と、顧客管理データベース（以下、ＤＢとする）３１７と、決済結果受信部３１８とを備える。
【００２８】
チャージ要求受信部３１２は、利用者端末３０１から残高のチャージ要求を受信し、当該チャージ要求に対応する取引ＩＤを生成して、利用者のユーザＩＤと関連付けて顧客管理ＤＢ３１７に記憶する。バーコード発行依頼送信部３１３は、チャージ要求において利用者が選択したプリペイド決済方法（ここでは、コンビニ現金入金）に従って、金額情報及び取引ＩＤを含むバーコード発行依頼をサービス会社システム３２１に送信する。口座番号発行依頼送信部３１４は、利用者が選択した決済方法（ここでは、銀行による振込入金）に従って、取引ＩＤを含む口座番号発行依頼をサービス会社システム３２１に送信する。バーコード受信部３１５は、サービス会社システム３２１から、発行されたバーコードを受信する。口座番号受信部３１６は、サービス会社システム３２１から、発行された口座番号を受信する。顧客管理ＤＢ３１７は、利用者毎に付与されたユーザＩＤと、当該ユーザＩＤに対応する電子マネー等の残高とを記憶する。利用者は、顧客管理ＤＢ３１７に記憶された電子マネー等の残高を利用して、アプリやＰＣサイト内などでコンテンツを購入することができる。また、顧客管理ＤＢ３１７は、受信したチャージ要求に対応する取引ＩＤを記憶する。コンテンツ会社システム３１１は、当該取引ＩＤを利用してチャージ要求を識別し、サービス会社システム３２１と情報をやり取りする。決済結果受信部３１８は、サービス会社システム３２１から取引ＩＤ及び金額情報を受信し、取引ＩＤに関連付けられたユーザＩＤの残高にチャージする。すなわち、決済結果受信部３１８は、コンテンツ会社システム３１１における残高チャージ手段として機能する。また、残高チャージ手段は、ＰＯＳレジ３４１からの決済情報に基づいて残高チャージを行なう場合には第１の残高チャージ手段として、また、銀行システム３５１からの入金通知に基づいて残高チャージを行なう場合には第２の残高チャージ手段としてみなすことができる。
【００２９】
サービス会社システム３２１は、バーコード発行依頼受信部３２２、バーコード生成部３２３、バーコード管理部３２４、バーコード送信部３２５、決済情報受信部３２６、口座番号発行依頼受信部３２７、被振込専用口座割当部３２８、被振込専用口座管理部３２９、口座番号送信部３３０、入金通知受信部３３１、決済結果送信部３３２を備える。
【００３０】
バーコード発行依頼受信部３２２は、金額情報及び取引ＩＤを含むバーコード発行依頼を、コンテンツ会社システム３１１から受信する。バーコード生成部３２３は、バーコード発行依頼を受信したことに応じて、金額情報及び取引ＩＤを含むバーコードを生成し、バーコード管理部３２４に記憶する。バーコードは、従来のバーコードのフォーマットを使用して生成することができ、金額情報はもちろんその従来のフォーマットに含まれているが、取引ＩＤは、自由使用欄として規定されている領域を利用して含めることができる。したがって、ＰＯＳレジにおけるバーコードの読取等に関する処理は従来の処理を利用することができる。バーコード送信部３２５は、生成したバーコードを、取引ＩＤとともにコンテンツ会社システム３１１に送信する。決済情報受信部３２６は、ＰＯＳレジ３４１から決済情報を受信する。
【００３１】
口座番号発行依頼受信部３２７は、取引ＩＤを含む口座番号発行依頼をコンテンツ会社システム３１１から受信する。被振込専用口座割当部３２８は、口座番号発行依頼に対して、銀行から事前に割り当てられた被振込専用口座を管理する被振込専用口座管理部３２８から、新たな被振込専用口座を割り当て、被振込専用口座管理部３２９に取引ＩＤとともに記憶する。被振込専用口座を利用すると、当該被振込専用口座宛に振込入金があった場合に、振込入金を行った利用者を特定することができる。口座番号送信部３３０は、割り当てた被振込専用口座の口座番号を、取引ＩＤとともにコンテンツ会社システム３１１に送信する。入金通知受信部３３１は、銀行システム３５１から、所定の被振込専用口座宛に入金があった旨の入金通知を受信する。入金通知には、振込入金が行なわれた被振込専用口座の口座番号と、振込入金の被振込金額が含まれる。
【００３２】
決済結果送信部３３２は、ＰＯＳレジ３４１からの決済情報、または銀行システム３５１からの入金通知を受信すると、決済情報または入金通知に基づき、取引ＩＤ及び金額情報をコンテンツ会社システム３１１に送信する。
【００３３】
ＰＯＳレジ３４１は、コンビニ等の店舗が備える、ＰＯＳ機能を備えたレジスタであり、ネットワークを介してサービス会社システム３２１と通信可能に接続される。ＰＯＳレジ３４１は、所定のバーコードについて決済を行うと、決済情報をサービス会社システム３２１に送信する。
【００３４】
銀行システム３５１は、勘定系システム３５２、インターネットバンキングシステム３５３、入金通知部３５４、振込入金ＤＢ３５５、被振込専用口座管理ＤＢ３５６を備える。
【００３５】
勘定系システム３５２は、銀行の営業店端末、ＡＴＭ、インターネットバンキング等が受け付けた振込入金を処理する。特に、本発明の一実施形態によると、被振込専用口座宛に振り込まれた入金は、被振込専用口座ＤＢ３５６を参照し、被振込専用口座に関連付けられた口座に入金される。振込入金ＤＢ３５５は、振込入金データを記憶する。インターネットバンキングシステム３５３は、インターネットを介して、振込入金機能を提供する。入金通知部３５４は、所定の被振込専用口座宛の振込入金が処理されると、サービス会社システム３２１に入金通知を送信する。
【００３６】
上述したコンテンツ会社システム３１１、サービス会社システム３２１、及び銀行システム３５１の各機能部は、１つまたは複数のコンピュータによって実装することができる。当該１つまたは複数のコンピュータは、メモリ等の記憶装置に記憶されたコンピュータプログラムを処理装置（ＣＰＵ）が実行することによって統括的に制御され、各機能部の機能を実現する。また、コンテンツ会社システム３１１及びサービス会社システム３２１は、一体として、本発明の一実施形態に係るプリペイド決済方法を実現するシステムとみなすことができる。
【００３７】
図４は、本発明の一実施形態に係るプリペイド決済方法の詳細な処理フローを示す。本プリペイド決済方法は、携帯端末上で表示されるバーコードを利用したプリペイド決済方法である。
【００３８】
ステップ４０１において、利用者端末３０１は、電子マネー等の残高をチャージするために利用者が選択し、入力した決済方法を受け取る。本プリペイド決済方法では、利用者は、コンビニ現金入金を選択し、さらに、金額情報としてチャージ金額を指定して、利用者端末３０１に入力する。ステップ４０３において、利用者端末３０１は、利用者のユーザＩＤ、入力された決済方法、及び金額情報を含むチャージ要求を、コンテンツ会社システム３１１に送信する。
【００３９】
次いで、ステップ４０５において、コンテンツ会社システム３１１は、利用者端末３０１から送信されたチャージ要求を受信する。ステップ４０７において、コンテンツ会社システム３１１は、受信したチャージ要求に対応する取引ＩＤを生成し、生成した取引ＩＤをユーザＩＤと関連付けて記憶する。次いで、ステップ４０９において、チャージ要求に含まれる金額情報及び取引ＩＤを含むバーコード発行依頼を、サービス会社システム３２１に送信する。
【００４０】
次いで、ステップ４１１において、サービス会社システム３２１は、コンテンツ会社システム３１１からバーコード発行依頼を受信する。ステップ４１３において、サービス会社システム３２１は、バーコード発行依頼から、金額情報及び取引ＩＤを含むバーコードを生成する。ステップ４１５において、サービス会社システム３２１は、取引ＩＤと生成したバーコードを、コンテンツ会社３１１に送信する。
【００４１】
ステップ４１７において、コンテンツ会社システム３１１は、サービス会社システム３２１から取引ＩＤ及びバーコードを受信する。ステップ４１８において、コンテンツ会社３１１は、受信したバーコードを、受信した取引ＩＤに基づいて、対応するユーザＩＤに関連付けて記憶する。ステップ４１９において、コンテンツ会社システム３１１は、バーコードをユーザＩＤに対応する利用者端末３０１に送信する。
【００４２】
ステップ４２１において、利用者端末３０１は、コンテンツ会社システム３１１からバーコードを受信する。ステップ４２３において、利用者は、コンビニの店舗に出向き、利用者端末３０１が表示するバーコードを店員に提示する。
【００４３】
ステップ４２５において、コンビニの店員はＰＯＳレジ３４１のバーコード読取装置によってバーコードを読み取り、バーコードに符号化されている金額について決済を行なう。利用者は、提示された金額を現金決済する。決済が完了すると、ステップ４２７において、ＰＯＳレジ３４１は、決済した金額情報及びバーコードに符号化されている取引ＩＤを、サービス会社システム３２１に送信する。
【００４４】
ステップ４２９において、サービス会社システム３２１は、ＰＯＳレジ３４１から金額情報及び取引ＩＤを受信する。次いで、ステップ４３１において、サービス会社システム３２１は、受信した金額情報及び取引ＩＤをコンテンツ会社システム３１１に送信する。
【００４５】
ステップ４３３において、コンテンツ会社システム３１１は、取引ＩＤ及び金額情報を受信する。次いで、ステップ４３５において、コンテンツ会社システム３１１は、受信した金額を、取引ＩＤに関連付けられたユーザＩＤの残高にチャージする。コンテンツ会社システム３１１において残高がチャージされると、利用者は、当該残高を使用して、アプリやＰＣサイト内などで提供される所望のコンテンツを購入することができるようになる。
【００４６】
以上説明したように、本発明の一実施形態に係るプリペイド決済方法によると、バーコード及びマネー番号が印刷されたプリペイドカード等の媒体の代わりに、携帯端末上でバーコードを表示し、ＰＯＳレジで決済することで、電子マネー等の残高をチャージすることができる。本プリペイド決済方法によると、プリペイドカードを実際に作成し、それを店舗に配送する必要もなく、店舗では、プリペイドカードを陳列する必要もなくすことができる。また、プリペイドカードを作成してから販売するまでの間に、紛失してしまうこともなくすることができる。さらに、利用者にとっては、店舗内に陳列された多種多様なプリペイドカードの中から所望のプリペイドカードを探し出す必要がなくなり、決済した後も、残高が自動的にチャージされるので、当該プリペイドカードのマネー番号を入力する手間もなくすことができる。また、利用者にとっても、購入したプリペイドカードを紛失してしまうリスクをなくすことができる。簡潔に述べると、本プリペイド決済方法の特徴は、携帯端末上で電子的にプリペイドカードを提供することで、従来のプリペイドカードに更なる利便性を提供することにある。
【００４７】
図５は、本発明の一実施形態に係る別のプリペイド決済方法の詳細な処理フローを示す。本プリペイド決済方法は、残高をチャージするために銀行口座への振込入金を利用したプリペイド決済方法である。
【００４８】
ステップ５０１において、利用者端末３０１は、電子マネー等の残高をチャージするために利用者が選択し、入力したプリペイド決済方法を受け取る。本プリペイド決済方法では、利用者は、銀行による振込入金を選択し、利用者端末３０１に入力する。ステップ５０３において、利用者端末３０１は、利用者のユーザＩＤ、及び、入力された決済方法を含むチャージ要求を、コンテンツ会社システム３１１に送信する。
【００４９】
次いで、ステップ５０５において、コンテンツ会社システム３１１は、利用者端末３０１から送信されたチャージ要求を受信する。ステップ５０７において、コンテンツ会社システム３１１は、受信したチャージ要求に対応する取引ＩＤを生成し、生成した取引ＩＤをユーザＩＤと関連付けて記憶する。次いで、ステップ５０９において、取引ＩＤを含む口座番号発行要求を、サービス会社システム３２１に送信する。
【００５０】
次いで、ステップ５１１において、サービス会社システム３２１は、コンテンツ会社システム３１１から口座番号発行要求を受信する。ステップ５１３において、コンテンツ会社システム３２１は、口座番号発行要求に含まれる取引ＩＤに、新たな被振込専用口座の口座番号を割り当てる。被振込専用口座とは、銀行から事前に割り当てられた口座であり、サービス会社システム３２１により複数の被振込専用口座が記憶され、管理されている。銀行では、被振込専用口座に入金があると、自動的に所定の取りまとめ口座に入金される。コンテンツ会社システム３１１は、被振込専用口座の口座番号とユーザＩＤと関連付けて記憶しておくことで、被振込専用口座に入金があると、入金を行なった利用者を特定することができる。
【００５１】
次いで、ステップ５１５において、サービス会社システム３２１は、取引ＩＤと割り当てた被振込専用口座の口座番号を、コンテンツ会社システム３１１に送信する。
【００５２】
ステップ５１７において、コンテンツ会社システム３１１は、サービス会社システム３２１から取引ＩＤ及び口座番号を受信する。ステップ５１９において、コンテンツ会社システム３１１は、受信した口座番号を、受信した取引ＩＤに基づいて、対応するユーザＩＤに関連付けて記憶する。ステップ５２１において、コンテンツ会社システム３１１は、口座番号を、ユーザＩＤに対応する利用者端末３０１に送信する。
【００５３】
ステップ５２３において、利用者端末３０１は、コンテンツ会社システム３１１から口座番号を受信する。ステップ５２５において、利用者は、利用者端末３０１が表示する口座番号宛に振込入金する。振込入金は、インターネットバンキング、ＡＴＭ、銀行の店頭などで行なうことができ、特定のチャネルに限定されない。
【００５４】
ステップ５２７において、銀行システム３５１は、振込処理を行い、被振込専用口座に対する振込入金データを記憶する。銀行システム３５１は、サービス会社に割り当てた複数の被振込専用口座を記憶しており、当該被振込専用口座に対して振込入金が行なわれると、ステップ５２９において、銀行システム３５１は、振込入金が行なわれた被振込専用口座の口座番号と振込入金の被振込金額の金額情報を含む入金通知を、サービス会社システム３２１に送信する。
【００５５】
ステップ５３１において、サービス会社システム３２１は、銀行システム３５１から入金通知を受信する。ステップ５３３において、サービス会社システム３２１は、入金通知に含まれた口座番号に対応する取引ＩＤと、金額情報を、コンテンツ会社システム３１１に送信する。
【００５６】
ステップ５３５において、コンテンツ会社システム３１１は、取引ＩＤ及び入金された金額情報を、サービス会社システム３２１から受信する。ステップ５３７において、コンテンツ会社システム３１１は、受信した金額情報に基づき、取引ＩＤに関連付けられたユーザＩＤの残高をチャージする。コンテンツ会社システム３１１において残高がチャージされると、利用者は、当該残高を使用して、アプリやＰＣサイト内などで提供される所望の商品・サービス・コンテンツを購入することができるようになる。
【００５７】
以上説明したように、本発明の一実施形態に係る別のプリペイド決済方法によると、チャージ要求に対して被振込専用口座を割り当て、当該被振込専用口座に振込入金を行なうことで、電子マネー等の残高をチャージすることができる。本プリペイド決済方法によると、プリペイドカードを実際に作成し、それを店舗に配送する必要もなく、店舗では、プリペイドカードを陳列する必要もなくすことができる。また、プリペイドカードを作成してから販売するまでの間に、紛失してしまうリスクもなくすことができる。さらに、利用者にとっては、店舗内に陳列された多種多様なプリペイドカードの中から所望のプリペイドカードを探し出す必要がなくなり、決済した後も、残高が自動的にチャージされるので、当該プリペイドカードのマネー番号を入力する手間もなくすことができる。また、利用者にとっても、購入したプリペイドカードを紛失してしまうリスクをなくすことができる。また、振込入金にインターネットバンキングを利用することにより、店舗に出向かなくても残高をチャージすることが可能になる。
【符号の説明】
【００５８】
１０１  利用者
１０２  コンテンツ会社
１０３  サービス会社
１０４  店舗
２０１  銀行システム
２０２  インターネットバンキングシステム
３００  決済システム
３０１  利用者端末
３０２  アプリ
３１１  コンテンツ会社システム
３１２  チャージ要求受信部
３１３  バーコード発行依頼送信部
３１４  口座番号発行依頼送信部
３１５  バーコード受信部
３１６  口座番号受信部
３１７  顧客管理ＤＢ
３１８  決済結果受信部
３２１  サービス会社システム
３２２  バーコード発行依頼受信部
３２３  バーコード生成部
３２４  バーコード管理部
３２５  バーコード送信部
３２６  決済情報受信部
３２７  口座番号発行依頼受信部
３２８  被振込専用口座割当部
３２９  被振込専用口座管理部
３３０  口座番号送信部
３３１  入金通知受信部
３３２  決済結果送信部
３４１  ＰＯＳレジスタ
３５１  銀行システム
３５２  勘定系システム
３５３  インターネットバンキングシステム
３５４  入金通知部
３５５  振込入金ＤＢ
３５６  被振込専用口座管理ＤＢ
６０１  コンテンツ会社
６０２  カード作成会社
６０３  店舗
６０４  利用者
【図１】
2017097656.tif 000003
【図２】
2017097656.tif 000004
【図３】
2017097656.tif 000005
【図４】
2017097656.tif 000006
【図５】
2017097656.tif 000007
【図６】
2017097656.tif 000008
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
利用者の残高をチャージするためのプリペイド決済システムであって、
前記利用者によって選択された第１の決済方法に従って、前記利用者からの残高チャージ要求を識別する取引ＩＤ及び金額情報を含むバーコードを生成するバーコード生成手段と、
前記生成されたバーコードを携帯端末に送信するバーコード送信手段と、
前記バーコードで決済された後、前記バーコードに含まれた前記金額情報に応じて、前記バーコードに含まれた前記取引ＩＤに従って識別された前記利用者の前記残高をチャージする第１の残高チャージ手段と、
前記利用者によって選択された第２の決済方法に従って、予め定められた取りまとめ口座に関連付けられた被振込専用口座を前記利用者に割り当てる口座割当手段と、
前記割り当てられた被振込専用口座の口座番号を、前記携帯端末に送信する口座番号送信手段と、
前記被振込専用口座への被振込金額を受信する被振込金額受信手段と、
前記被振込金額に基づいて、前記利用者の残高をチャージする第２の残高チャージ手段と
を備えたことを特徴とするプリペイド決済システム。
【請求項２】
前記選択された第１の決済方法は、コンビニエンスストアにおける現金入金であり、前記選択された第２の決済方法は、銀行振込であることを特徴とする請求項１に記載のプリペイド決済システム。
【請求項３】
コンピュータを、請求項１または請求項２に記載のプリペイド決済システムとして動作させるためのプログラム。
【請求項４】
利用者の残高をチャージするためのプリペイド決済システムであって、
前記利用者によって選択された決済方法に従って、予め定められた取りまとめ口座に関連付けられた被振込専用口座を前記利用者に割り当てる口座割当手段と、
前記割り当てられた被振込専用口座の口座番号を、携帯端末に送信する口座番号送信手段と、
前記被振込専用口座への被振込金額を受信する被振込金額受信手段と、
前記被振込金額に基づいて、前記利用者の残高をチャージする残高チャージ手段と
を備えたことを特徴とするプリペイド決済システム。
【請求項５】
利用者の残高をチャージするためのプリペイド決済システムが実行するプリペイド決済方法であって、
前記利用者によって選択された第１の決済方法に従って、前記利用者からの残高チャージ要求を識別する取引ＩＤ及び金額情報を含むバーコードを生成することと、
前記生成されたバーコードを携帯端末に送信することと、
前記バーコードで決済された後、前記バーコードに含まれた前記金額情報に応じて、前記バーコードに含まれた取引ＩＤに従って識別された前記利用者の前記残高をチャージすることと、
前記利用者によって選択された第２の決済方法に従って、予め定められた取りまとめ口座に関連付けられた被振込専用口座を前記利用者に割り当てることと、
前記割り当てられた被振込専用口座の口座番号を、前記携帯端末に送信することと、
前記被振込専用口座への被振込金額を受信することと、
前記被振込金額に基づいて、前記利用者の残高をチャージすることと
を含むことを特徴とするプリペイド決済方法。
【請求項６】
前記選択された第１の決済方法は、コンビニエンスストアにおける現金入金であり、前記選択された第２の決済方法は、銀行振込であることを特徴とする請求項５に記載のプリペイド決済方法。
【請求項７】
利用者の残高をチャージするためのプリペイド決済システムが実行するプリペイド決済方法であって、
前記利用者によって選択された決済方法に従って、予め定められた取りまとめ口座に関連付けられた被振込専用口座を前記利用者に割り当てることと、
前記割り当てられた被振込専用口座の口座番号を、携帯端末に送信することと、
前記被振込専用口座への被振込金額を受信することと、
前記被振込金額に基づいて、前記利用者の残高をチャージすることと
を備えることを特徴とするプリペイド決済方法。
【請求項８】
コンテンツを提供するコンテンツ会社システムと、少なくとも前記コンテンツの購入に利用可能な残高をチャージするための決済サービスを提供するサービス会社システムとを含むプリペイド決済システムであって、
前記コンテンツ会社システムが、利用者によって選択された決済方法に従って、前記利用者からの残高チャージ要求を識別する取引ＩＤ及び金額情報を含むバーコード発行依頼を前記サービス会社システムに送信する手段と、
前記サービス会社システムが、受信した前記バーコード発行依頼に応じて、前記取引ＩＤ及び前記金額情報を含むバーコードを生成し、前記コンテンツ会社システムに送信する手段と、
前記コンテンツ会社システムが、受信した前記バーコードを携帯端末に送信する手段と、
前記バーコードで決済された後、前記サービス会社システムが、前記バーコードに含まれる前記取引ＩＤ及び前記金額情報を受信し、前記コンテンツ会社システムに送信する手段と、
前記コンテンツ会社システムが、前記取引ＩＤ及び前記金額情報を受信して、前記金額情報に応じて、前記取引ＩＤに従って識別された前記利用者の前記残高をチャージする手段と
を備えたことを特徴とするプリペイド決済システム。
【請求項９】
前記コンテンツ会社システムが、前記利用者によって選択された決済方法にしたがって、口座番号発行要求を前記サービス会社システムに送信する手段と、
前記サービス会社システムが、受信した前記口座番号発行要求に応じて、被振込専用口座を割り当て、前記割り当てられた被振込専用口座の口座番号を、前記コンテンツ会社システムに送信する手段と、
前記コンテンツ会社システムが、受信した前記口座番号を前記携帯端末に送信する手段と、
前記サービス会社システムが、前記被振込専用口座への入金通知を受信する手段と、
前記サービス会社システムが、前記入金通知に基づいて、前記被振込専用口座への被振込金額を前記コンテンツ会社システムに送信する手段と、
前記コンテンツ会社システムが、前記被振込金額を受信して、前記残高にチャージする手段と
をさらに備えたことを特徴とする請求項８に記載のプリペイド決済システム。
【請求項１０】
コンテンツを提供するコンテンツ会社システムと、少なくとも前記コンテンツの購入に利用可能な残高をチャージするための決済サービスを提供するサービス会社システムとを含むプリペイド決済システムにおけるプリペイド決済方法であって、
前記コンテンツ会社システムが、利用者によって選択された決済方法に従って、前記利用者からの残高チャージ要求を識別する取引ＩＤ及び金額情報を含むバーコード発行依頼を前記サービス会社システムに送信することと、
前記サービス会社システムが、受信した前記バーコード発行依頼に応じて、前記取引ＩＤ及び前記金額情報を含むバーコードを生成し、前記コンテンツ会社システムに送信することと、
前記コンテンツ会社システムが、受信した前記バーコードを携帯端末に送信することと、
前記バーコードで決済された後、前記サービス会社システムが、前記バーコードに含まれる前記取引ＩＤ及び前記金額情報を受信し、前記コンテンツ会社システムに送信することと、
前記コンテンツ会社システムが、前記取引ＩＤ及び前記金額情報を受信して、前記金額情報に応じて、前記取引ＩＤに従って識別された前記利用者の前記残高をチャージすることと
を含むプリペイド決済方法。
【請求項１１】
前記コンテンツ会社システムが、前記利用者によって選択された決済方法にしたがって、口座番号発行要求を前記サービス会社システムに送信することと、
前記サービス会社システムが、受信した前記口座番号発行要求に応じて、被振込専用口座を割り当て、前記割り当てられた被振込専用口座の口座番号を、前記コンテンツ会社システムに送信することと、
前記コンテンツ会社システムが、受信した前記口座番号を前記携帯端末に送信することと、
前記サービス会社システムが、前記被振込専用口座への入金通知を受信することと、
前記サービス会社システムが、前記入金通知に基づいて、前記被振込専用口座への被振込金額を前記コンテンツ会社システムに送信することと、
前記コンテンツ会社システムが、前記被振込金額を受信して、前記残高にチャージすることと
をさらに含むことを特徴とする請求項１０に記載のプリペイド決済方法。